(57)【特許請求の範囲】
【請求項１】
ベッドサイドキャビネットの内側に、その横側面に開口部を有する案内支持部を構成すると共に、小物類の支持体を、前記開口部を通して前記案内支持部に沿って移動可能とし、前記支持体は、前記案内支持部に係合する奥行方向の係合部を左右側に構成すると共に、左右側の前記案内支持部間に、手前側から奥側に向かって、把手部と、空間部と、トレイ部を順次構成しており、前記案内支持部と前記係合部には、前記支持体のトレイ部が前記開口部から突出した状態と、空間部が前記開口部から突出した状態と、把手部が開口部から突出していない状態において、弾性力により位置を保持可能な位置決め保持機構部を構成したことを特徴とするベッドサイドキャビネット。
【請求項２】
トレイ部に対応する係合部の外側には内側方向に凹んだ凹部を設け、その凹部内にフック部を設けたことを特徴とする請求項１に記載のベッドサイドキャビネット。
【請求項３】
係合部の保持機構部は、この係合部に設けた弾性変形可能な突出片部であり、案内支持部の保持機構部は、奥行方向の複数個所に設けて、前記突出片部を係合する凹部であることを特徴とする請求項１に記載のベッドサイドキャビネット。
【請求項４】
把手部は、係合部から上方に屈曲させた構成とし、その下面側に操作用凹部を設けたことを特徴とする請求項１に記載のベッドサイドキャビネット。
【発明の詳細な説明】
【技術分野】
【０００１】
本発明はベッドサイドキャビネットに関するものである。
【背景技術】
【０００２】
ベッドサイドキャビネットは、病院、介護施設又は家庭等でベッドサイド等に置いて使用する収納家具であり、ベッドの利用者が使用する身の回りの小物類等の物品を収納したり、テレビ等を設置するための機能を有している。
【０００３】
一般に、ベッドサイドキャビネットにおいては、引き出しや扉を有する収納部は、正面側から使用するように構成されているが、例えば特許文献１や特許文献２に示されるように、横側面にタオル掛けを設けて、横側面側から使用可能に構成されているものも多い。
【０００４】
このタオル掛けは、これらの特許文献にも記載されているように、一般に、棒状体から構成されており、即ち、タオル掛けとして使用される横棒の左右側に奥行方向の棒体が形成され、これらの奥行方向の棒体により、横棒が横側面から突出した状態で保持される構成としている。そして、これらの構成では、タオル掛けとしての横棒は、不使用時には、特許文献２に示されるように横側面に当接させて格納状態としたり、特許文献１に示されるように横側面に形成した格納用凹部内に入れて格納状態とするようにしている。
【先行技術文献】
【特許文献】
【０００５】
【特許文献１】実開昭６３−６１９３７号公報
【特許文献２】特許第３６３６０３６号公報
【発明の概要】
【発明が解決しようとする課題】
【０００６】
上述したように、従来のベッドサイドキャビネットでは、タオル掛けを横側面側から使用可能に構成されているが、それ以外の物品の収納の用途には使用できない。従って、本発明が解決しようとする課題は、従来のベッドサイドキャビネットでは、横側面側から種々の小物類等の物品の収納に使用できる手段が設けられていないことであり、本発明は、このような課題を解決することを目的とする。
【課題を解決するための手段】
【０００７】
上述した課題を解決するために、本発明では、ベッドサイドキャビネットの内側に、その横側面に開口部を有する案内支持部を構成すると共に、小物類の支持体を、前記開口部を通して前記案内支持部に沿って移動可能とし、前記支持体は、前記案内支持部に係合する奥行方向の係合部を左右側に構成すると共に、左右側の前記案内支持部間に、手前側から奥側に向かって、把手部と、空間部と、トレイ部を順次構成しており、前記案内支持部と前記係合部には、前記支持体のトレイ部が前記開口部から突出した状態と、空間部が前記開口部から突出した状態と、把手部が開口部から突出していない状態において、弾性力により位置を保持可能な位置決め保持機構部を構成したベッドサイドキャビネットを提案する。
【０００８】
また本発明では、上記の構成において、トレイ部に対応する係合部の外側には内側方向に凹んだ凹部を設け、その凹部内にフック部を設けたベッドサイドキャビネットを提案する。
【０００９】
また本発明では、上記の構成において、係合部の保持機構部は、この係合部に設けた弾性変形可能な突出片部であり、案内支持部の保持機構部は、奥行方向の複数個所に設けて、前記突出片部を係合する凹部であるベッドサイドキャビネットを提案する。
【００１０】
また本発明では、上記の構成において、把手部は、係合部から上方に屈曲させた構成とし、その下面側に操作用凹部を設けたベッドサイドキャビネットを提案する。
【発明の効果】
【００１１】
本発明では、ベッドサイドキャビネットの横側面の開口部内に位置している支持体を把手部を持って引き出すことにより、トレイ部が前記開口部から突出した状態にもたらすことができ、この状態においては、トレイ部にティッシュ紙や眼鏡、ペットボトル等の小物類を載置すると共に、把手部にタオル類を掛けて支持することができる。
【００１２】
トレイ部に対応する係合部の外側に形成した凹部内にフック部を設けたものでは、フック部に、プラスチックフィルム製やその他の買い物袋の把手部を引っ掛けて支持することができる。
【００１３】
小物類を支持する必要がない場合には、把手部を持って支持体を移動させて、トレイ部はベッドサイドキャビネット内に位置し、空間部が前記開口部から突出した状態とすることができ、この状態では、従来のタオル掛けと同様に、タオル掛けに用途を限定して使用することができる。
【００１４】
そして全く使用する必要がない場合には、支持体の把手部も開口部内に位置させることができ、この場合には、支持体が全く邪魔とならない。
【００１５】
把手部は、係合部から上方に屈曲させた構成とし、その下面側に操作用凹部を形成すると、開口部内に位置させた状態においても容易に引出操作を行うことができる。
【図面の簡単な説明】
【００１６】
【図１】図１は本発明に係るベッドサイドキャビネットの構成及び使用状態を示す斜視図である。
【図２】図２は図１の要部拡大図である。
【図３】図３は本発明に係る支持体の構成を示す斜視図である。
【図４】図４はベッドサイドキャビネットの内側に構成した案内支持部による支持体の格納状態を示す要部斜視図である。
【図５】図５はベッドサイドキャビネットの内側に構成した案内支持部による支持体の使用時における支持状態を示す断面図である。
【図６】図６はベッドサイドキャビネットの内側に構成した案内支持部による支持体の他の使用時における支持状態を示す断面図である。
【図７】図７はベッドサイドキャビネットの内側に構成した案内支持部による支持体の格納状態を示す断面図である。
【図８】図８は図５に示す支持状態における使用状態を示す要部斜視図である。
【図９】図９は図６に示す支持状態における使用状態を示す要部斜視図である。
【図１０】図１０は支持体の格納状態におけるベッドサイドキャビネットを示す斜視図である。
【図１１】図１１は図１０の要部拡大図である。
【発明を実施するための形態】
【００１７】
次に本発明のベッドサイドキャビネットの実施の形態を添付図面を参照して説明する。
図１〜図１１において、符号１はベッドサイドキャビネットを概して示すもので、引出２や扉を有する収納部３が正面側から使用するように構成されており、また内側には横側面４に開口部５を有する案内支持部６を構成している。符号７は、案内支持部６に沿って移動可能とした支持体であり、この支持体７は、前記案内支持部６に係合する奥行方向の係合部８ａ，８ｂを左右側に構成すると共に、左右側の前記係合部８ａ，８ｂ間に、手前側から奥側に向かって、把手部９と、空間部１０と、トレイ部１１を順次構成している。
【００１８】
図３、図４に示される支持体７の実施の形態を更に詳細に説明すると、この支持体７は、トレイ部１１に対応する係合部８ａ，８ｂの外側に、内側方向に凹んだ凹部１２ａ，１２ｂを形成し、その凹部内にフック部１３ａ，１３ｂを設けている。また把手部９は係合部８ａ，８ｂから上方に屈曲させた構成としており、その下面側に操作用凹部１４を設けている。
【００１９】
支持体７のトレイ部１１よりも奥側の係合部８ａ，８ｂの先端側には、案内支持部６に設けられた当接部１６ａ，１６ｂに当接して、案内支持部６からの支持体７の抜けを防止するための突出部１７ａ，１７ｂが設けられている。一方、支持体７は、係合部８ａ，８ｂの先端が、案内支持部６に当接することにより、奥側方向への所定以上の移動が阻止される。そして突出部１７ａ，１７ｂより手前側の係合部８ａ，８ｂの外側に、内側方向に凹んだ凹部１８ａ，１８ｂが設けられ、その凹部１８ａ，１８ｂ内に弾性変形可能な円弧状の突出片部１９ａ，１９ｂが設けられている。
【００２０】
そしてベッドサイドキャビネット１の案内支持部６には、前記支持体７のトレイ部１１が前記開口部５から突出した状態と、空間部１０が前記開口部５から突出した状態と、把手部９が開口部５から突出していない状態に対応して、前記突出片部１９ａ，１９ｂを係合する凹部２０ａ，２１ａ，２２ａ；２０ｂ，２１ｂ，２２ｂが設けられている。
【００２１】
以上の構成において、図１０、図１１に示されるように、支持体７の把手部９が横側面４の開口部５内に位置している状態において、操作用凹部１４により把手部９を持って引き出し、最も引き出した状態とすることにより、図１、図２及び図５に示されるように、トレイ部１１が前記開口部５から突出した状態にもたらすことができる。
【００２２】
この状態は、図５に示されるように、突出片部１９ａ，１９ｂが凹部２０ａ，２０ｂに弾性的に係合することで知ることができ、また仮にそれ以上に引き出した場合には、支持体７の突出部１７ａ，１７ｂが当接部１６ａ，１６ｂに当接するため、抜け出してしまうことはない。
【００２３】
この状態においては、図８に示されるように、トレイ部１１にティッシュ紙２３や眼鏡、ペットボトル２４等の小物類を載置すると共に、把手部９にタオル類２５を掛けて支持することができる。またフック部１３ａ（１３ｂ）に、プラスチックフィルム製やその他の買い物袋２６の把手部を引っ掛けて支持することができる。
【００２４】
小物類を支持する必要がない場合には、上述と同様に把手部９を持って支持体７を移動させて、図６に示されるように、トレイ部１１はベッドサイドキャビネット１内に位置し、空間部１０が前記開口部５から突出した状態とすることができ、この状態では、図９に示されるように、従来のタオル掛けと同様に、タオル類２５の支持に用途を限定して使用することができる。
【００２５】
そして、更にタオル掛けとしても使用する必要がない場合には、図７、図１０、図１１に示されるように、支持体７の把手部９も開口部５内に位置させることができ、この場合には、支持体７が全く邪魔とならない。
【００２６】
このようにこの実施の形態では、把手部９は、係合部８ａ，８ｂから上方に屈曲させた構成とし、その下面側に操作用凹部１４を形成しているので、開口部５内に位置させた状態においても容易に引出操作を行うことができる。
【符号の説明】
【００２７】
１                  ベッドサイドキャビネット
２                  引出
３                  収納部
４                  横側面
５                  開口部
６                  案内支持部
７                  支持体
８ａ，８ｂ          係合部
９                  把手部
１０                空間部
１１                トレイ部
１２ａ，１２ｂ      凹部
１３ａ，１３ｂ      フック部
１４                操作用凹部
１６ａ，１６ｂ      当接部
１７ａ，１７ｂ      突出部
１８ａ，１８ｂ      凹部
１９ａ，１９ｂ      突出片部
２０ａ，２１ａ，２２ａ    凹部
２０ｂ，２１ｂ，２２ｂ    凹部
２３                ティッシュ紙
２４                ペットボトル
２５                タオル類
２６                買い物袋
【図１】
0005414545.tif 000002
【図２】
0005414545.tif 000003
【図３】
0005414545.tif 000004
【図４】
0005414545.tif 000005
【図５】
0005414545.tif 000006
【図６】
0005414545.tif 000007
【図７】
0005414545.tif 000008
【図８】
0005414545.tif 000009
【図９】
0005414545.tif 000010
【図１０】
0005414545.tif 000011
【図１１】
0005414545.tif 000012